(57)【特許請求の範囲】
【請求項１】
複数個の表面清浄化部品を組み立てるに際し、高純度不活性ガスを流しながら、ガスの流れ方向に沿って上流側から下流側へと組み立てを行っていく表面清浄化部品の施工方法であって、
前記表面清浄化部品は、所定の表面清浄化を行った後、大気に暴露させる事なく高純度不活性ガスを充満させて気密封じを行ったものであり、
前記所定の表面清浄化は、高純度ガス供給部品において、ガス流路内に高純度不活性ガスを通流させた状態で、被表面清浄化部品の外周部より昇温加熱を行った後、室温まで冷却して、実質的に酸化膜を形成させる事なく、ガス流路内に吸着している水素、水分、有機物の吸着量を低減させる表面清浄化方法である、
ことを特徴とする表面清浄化部品の施工方法。
【請求項２】
複数個の表面清浄化部品を組み立てるに際し、高純度不活性ガスを流しながら、ガスの流れ方向に沿って上流側から下流側へと組み立てを行っていく表面清浄化部品の施工方法であって、
前記表面清浄化部品は、所定の表面清浄化を行った後、大気に暴露させる事なく高純度不活性ガスを充満させて気密封じを行ったものであり、
前記所定の表面清浄化は、高純度不活性ガスを通流させた雰囲気で、金属材料、金属蒸着材料、乃至金属メッキ材料のいずれかを、少なくとも一部に有する被表面清浄化部品を昇温加熱した後、室温まで冷却して、実質的に酸化膜を形成させることなく、表面の水素濃度を低減させる表面清浄化方法である、
ことを特徴とする表面清浄化部品の施工方法。
【請求項３】
前記表面清浄化部品は、その一部に高純度不活性ガス保有容器を備えたことを特徴とする請求項１又は２記載の表面清浄化部品の施工方法。
【請求項４】
表面清浄化処理工場にて、表面清浄化部品を製作し、輸送手段を用いて現地まで輸送し、現地にて組み立てを行う表面清浄化部品の施工方法であって、
前記表面清浄化部品は、所定の表面清浄化を行った後、大気に暴露させる事なく高純度不活性ガスを充満させて気密封じを行ったものであり、
前記所定の表面清浄化は、高純度ガス供給部品において、ガス流路内に高純度不活性ガスを通流させた状態で、被表面清浄化部品の外周部より昇温加熱を行った後、室温まで冷却して、実質的に酸化膜を形成させる事なく、ガス流路内に吸着している水素、水分、有機物の吸着量を低減させる表面清浄化方法である、
ことを特徴とする表面清浄化部品の施工方法。
【請求項５】
表面清浄化処理工場にて、表面清浄化部品を製作し、輸送手段を用いて現地まで輸送し、現地にて組み立てを行う表面清浄化部品の施工方法であって、
前記表面清浄化部品は、所定の表面清浄化を行った後、大気に暴露させる事なく高純度不活性ガスを充満させて気密封じを行ったものであり、
前記所定の表面清浄化は、高純度不活性ガスを通流させた雰囲気で、金属材料、金属蒸着材料、乃至金属メッキ材料のいずれかを、少なくとも一部に有する被表面清浄化部品を昇温加熱した後、室温まで冷却して、実質的に酸化膜を形成させることなく、表面の水素濃度を低減させる表面清浄化方法である、
ことを特徴とする表面清浄化部品の施工方法。
【請求項６】
前記表面清浄化部品は、その一部に高純度不活性ガス保有容器を備えたことを特徴とする請求項４又は５記載の表面清浄化部品の施工方法。
【請求項７】
各々が配管装置の構成部品である複数の表面清浄化物を組み立てるに際し、高純度不活性ガスを流しながら、ガスの流れの方向に沿って上流側から下流側へと組み立てを行っていく表面清浄化部品の施工方法であって、
前記表面清浄化物は、内部に流路を有し当該内部流路の壁面を清浄化表面とする物品であり、所定の表面清浄化方法が行われた後に、前記内部流路を大気に暴露させることなく前記内部流路内に高純度不活性ガスを充満させて前記内部流路の気密封じを行ったものであり、
前記所定の表面清浄化方法は、ガス流路内に前記被表面清浄化物の被清浄化表面が露出し、前記被表面清浄化物の前記被清浄化表面が高い温度に保持された状態で、前記ガス流路内に高純度不活性ガスを通流させる第１の段階を備えた、
ことを特徴とする表面清浄化部品の施工方法。
【請求項８】
前記表面清浄化物は、内部に高圧の高純度不活性ガスを保有した高純度不活性ガス保有容器であって、その内部が前記内部流路に連通可能な高純度不活性ガス保有容器を備えたことを特徴とする請求項７記載の表面清浄化部品の施工方法。
【請求項９】
各々が配管装置の構成部品である複数の表面清浄化物を組み立てるに際し、高純度不活性ガスを流しながら、ガスの流れの方向に沿って上流側から下流側へと組み立てを行っていく表面清浄化部品の施工方法であって、
前記表面清浄化物は、所定の表面清浄化方法が行われた後に、当該表面清浄化物を大気に暴露させることなく前記内部に高純度不活性ガスを充満させた容器内に収容して前記容器の気密封じを行ったものであり、
前記所定の表面清浄化方法は、ガス流路内に前記被表面清浄化物の被清浄化表面が露出し、前記被表面清浄化物の前記被清浄化表面が高い温度に保持された状態で、前記ガス流路内に高純度不活性ガスを通流させる第１の段階を備えた、
ことを特徴とする表面清浄化部品の施工方法。
【請求項１０】
前記所定の表面清浄化方法は、前記第１の段階の後に、前記ガス流路内に前記高純度不活性ガスを通流させながら、前記被表面清浄化物の前記被清浄化表面の温度を略々室温に戻す第２の段階を備えたことを特徴とする請求項７乃至９のいずれかに記載の表面清浄化部品の施工方法。
【請求項１１】
前記所定の表面清浄化方法において、前記第１の段階及びその後の前記第２の段階が、複数回繰り返されることを特徴とする請求項１０記載の表面清浄化部品の施工方法。
【請求項１２】
前記所定の表面清浄化方法は、前もって当該流路を真空引きする予備段階を備えたことを特徴とする請求項７乃至１１のいずれかに記載の表面清浄化部品の施工方法。
【発明の詳細な説明】
【技術分野】
【０００１】
本発明は、例えば半導体製造工場等に用いられる高純度ガス供給システムに適用して有効な技術に関するものである。
【０００２】
本発明は、表面清浄化部品の施工方法に関するものである。
【背景技術】
【０００３】
近年、半導体製造工程に用いられる高純度ガス供給システムにおいては、電界研磨処理、真空中での昇温脱離処理、クロム酸化膜不働態処理（Ｃｒ２Ｏ３膜）等を行ったガス供給部品が使用されている。また、従来の高純度ガス供給システムの施工方法においては、現地で電解研磨処理をした部品を用いて、曲げ加工を行ったり、溶接を行ったりして組み立てを行っていた。
【０００４】
電界研磨処理は、硫酸とリン酸をベースとした電界研磨液を用いて、処理部品を陽極、相対電極を陰極とし、処理部品と電極の間に直流電流を流しながら、研磨を行って行く処理方法で、このあと溶剤洗浄、純水洗浄を行って乾燥させる処理である。また、真空中での昇温脱離処理は、真空ポンプで処理室内を真空に引きながら加熱を行い、処理部品に付着している脱離成分を除去する処理方法である。また、クロム酸化膜不働態処理（Ｃｒ２Ｏ３膜）は、酸化ガス雰囲気で、高温に加熱し、ステンレス表面にＣｒ２Ｏ３膜を形成させる処理方法である。
【０００５】
また、下記特許文献１には、減圧下にて成膜又はエッチングを行う装置の非動作時には、該装置に超高純度ガスを送入するための配管をすくなくともある一定期間加熱するとともに、該配管から超高純度ガスを配管外に排出し、前記装置の動作時には該配管の加熱を停止して超高純度ガスを該装置の導入口を介して該配管から該装置内に送入することを特徴とする超高純度ガスの供給方法が、開示されている。
【特許文献１】特開昭６３−１２３３６号公報
【発明の開示】
【発明が解決しようとする課題】
【０００６】
しかしながら、電界研磨処理においては、電界研磨液や洗浄液が残留しており、真空中での昇温脱離処理では、昇温加熱時に脱離成分を除去しても、冷却時、及び、真空雰囲気から大気雰囲気に戻す際に真空ポンプからのオイルバックにより、オイル成分が再付着するという問題点があり、クロム酸化膜不働態処理では、金属表面に膜を形成させるため、長時間の使用時に膜が剥離するという問題点があった。また、すべての処理に関して、処理後大気に暴露するため、大気中の有機物が付着するという問題点と、さらに、処理後の梱包方法においても、塩化ビニール等の樹脂フィルムにより封じられるため、樹脂中に含まれる軟化剤、可塑剤と呼ばれるディオクチルフタレイト（ＤＯＰ）等の有機物が脱離し、再付着するという問題点があることがわかった。これらは、今まで有機物の高感度分析手法が、確立されておらず、検査が難しかったため、問題とされていなかったが、高純度アルゴンガスを用いた大気圧イオン化質量分析（ＡＰＩＭＳ）、高圧イオン化質量分析（ＨＰＩＭＳ）といった高感度な分析手法により、確認できるようになった。
【０００７】
さらに、本発明者は、ステンレス鋼材料、ニッケル材料、ニッケル蒸着材料、乃至ニッケルメッキ材料表面には、水素が高濃度で吸着しており、これが大気中の水分、有機物と結合を起こしやすく、一度結合すると脱離しにくいこと、有機物の種類によっては、水素と有機物の結合部を核として、有機物の凝縮が進行し、突起物が成長することを見いだした。また、表面の水素濃度を低減していれば、水分、有機物がステンレス鋼表面と結合しにくいだけでなく、脱離も容易であること、さらに、ステンレス鋼においては水素の脱離ピークが３５０℃にあり、水素の脱離とともに水分やほとんどの有機物が脱離し、３５０℃以上の温度が脱離効率が優れていることを見出した。
【０００８】
また、例えばパッキン等の配管部品として、可塑剤を有する樹脂材料から成る樹脂部品を高純度ガス供給システムに使用した場合、その表面側領域にて樹脂中に含まれる例えばディオクチルテレフタレイト（ＤＯＰ）等の可塑剤が脱離して、高純度ガス中に混入してしまうため、高純度ガスの純度が低下してしまうと共に、脱離した可塑剤が高純度ガス供給システムの他の箇所で再付着することになるという問題があった。
【０００９】
さらに、例えば半導体ウェハの保管容器や半導体部品の保持容器が可塑剤を有する樹脂材料から構成されている場合、これらの容器は、従来純水による洗浄のみにより清浄化されているため、使用の際に、樹脂材料から可塑剤が脱離して、半導体ウェハや半導体部品に付着してしまう等の問題があった。
【００１０】
本発明は、このような従来の技術が有する問題点に鑑みなされたもので、その目的とするところは、高純度ガス供給部品（配管）からの水素、水分、有機物の除去技術及び再付着防止技術を提供し、この技術により表面清浄化部品を提供すること、また、磁気ディスク基板、光ディスク基板、半導体ウェハ、液晶、金属パッキン等の表面に有機物起因の突起物の成長を防止できる技術を提供すること、さらに、半導体製造装置等における高純度ガス供給システムの現地での施工時間や施工後のシステム立ち上げ時間（使用可能となるまでの時間）やメンテナンス時間を短縮できる技術を提供することにある。
【００１１】
さらに、本発明は、可塑剤の脱離を低減するようにした、半導体ウェハの保管容器や半導体装置の保持容器等あるいはパッキン等の配管部品等の、可塑剤を有する樹脂材料を少なくとも一部に有するから成る物品を提供することを目的とする。
【課題を解決するための手段】
【００１２】
ここでは、前記課題を解決する技術手段として、下記第１乃至第５２の態様を提示する。なお、下記第１１の態様が請求項１乃至３に係る発明に相当し、下記第１２の態様が請求項４乃至６に係る発明に相当し、下記第４７の態様が請求項７乃至１２に係る発明に相当している。
【００１３】
第１の態様による表面清浄化方法は、ガス流路内に高純度不活性ガスを通流させた状態で、被表面清浄化部品の外周部より昇温加熱を行った後、室温まで冷却して、実質的に酸化膜を形成させる事なく、ガス流路内に吸着している水素、水分、有機物の吸着量を低減させるものである。この第１の態様による表面清浄化方法によれば、ガスの流路内は高純度不活性ガスが通流しているので、脱離成分はこのガスで希釈され速やかに排出されていくので、酸化膜を形成することなく表面の清浄化が行われる。しかし、高温の状態で高純度不活性ガスの通流を止めてしまうと、脱離した不純物や、滞留している不純物が冷却の過程で再付着し、せっかく清浄化した表面が汚染してしまう。このため、高純度不活性ガスを通流させた状態で略々室温まで冷却することが好ましい。
【００１４】
第２の態様による表面清浄化方法は、前記第１の態様による表面清浄化方法において、たとえば、大気圧イオン化質量分析（ＡＰＩＭＳ）、高圧イオン化質量分析（ＨＰＩＭＳ）といった水素、水分、有機物を高感度に検出する手段を備えるものである。この第２の態様による表面清浄化方法によれば、被表面清浄化部品から脱離した成分をモニタリングしながら表面清浄化が行えるため、表面清浄化の終点検出が可能となり、最適時間で処理を行うことが出来る。
【００１５】
第３の態様による表面清浄化方法は、前記第１又は第２の態様による表面清浄化方法において、高純度不活性ガスとして、高純度アルゴンガスを用いるものである。この第３の態様による表面清浄化方法によれば、高純度不活性ガスのうちで表面に吸着している不純物の除去能力が最も優れているアルゴンガスを用いている。本発明者の研究では、アルゴンガスはヘリウムガスの約８倍、窒素ガスの約２倍の除去能力があることがわかった。これは、分子量にほぼ比例しており、分子の大きな不活性ガスが除去効果が高いことを示している。また、アルゴンガスは水素の分析をＡＰＩＭＳやＨＰＩＭＳを用いて行う場合、Ａｒ・Ｈ（Ｍ／ｚ＝４１）でモニタリングするが、高純度アルゴンではＭ／ｚ＝４１のバックグランドの値は極めて低いので、低濃度から水素をモニタリング出来る。
【００１６】
第４の態様による表面清浄化方法は、前記第１乃至第３のいずれかの態様による表面清浄化方法において、３５０℃以上の温度で昇温加熱を行うものである。この第４の態様による表面清浄化方法によれば、ステンレス鋼においては水素の脱離ピークが３５０℃にあり、水素の脱離とともに水分やほとんどの有機物が脱離し、３５０℃以上の温度が脱離効率が優れているためである。
【００１７】
第５の態様による表面清浄化方法は、高純度不活性ガスを通流させた雰囲気で、金属材料、金属蒸着材料、乃至金属メッキ材料のいずれかを、少なくとも一部に有する被表面清浄化部品を昇温加熱した後、室温まで冷却して、実質的に酸化膜を形成させることなく、表面の水素濃度を低減させるものである。この第５の態様による表面清浄化方法によれば、金属材料表面の水素を完全に脱離させることにより、表面清浄化処理後の表面に水素結合を介して水分、有機物が再付着しにくくなり、付着した水分、有機物を核として有機物の凝縮が進行し、デンドライト状の突起物が成長するのを防止できる。金属材料の中でも、ニツケル、ステンレスのように水素を表面に貯蔵しやすい材料に最も効果があり、被表面清浄化部品としては、磁気ディスク基板、光ディスク基板、半導体ウェハ、液晶、金属パッキンが最も効果がある。
【００１８】
第６の態様による表面清浄化装置は、ガスの流れ方向に沿って、高純度不活性ガス流入口、被表面清浄化部品、ガスサンプリング配管、高感度ガス分析装置の順序で構成され、被表面清浄化部品の外周部に加熱手段を備えるものである。この第６の態様による表面清浄化装置によれば、高純度不活性ガスを被表面清浄化部品に通流させながら被表面清浄化部品の外周部に備えられた加熱手段により、被表面清浄化部品を加熱することにより、表面に吸着している水素、水分、有機物を脱離させ、これをガスサンプリング配管を通して高感度ガス分析装置まで導いている。この場合、このガスサンプリング配管は、室温では水分、有機物が吸着してしまうため、高温に加熱することが好ましい。
【００１９】
第７の態様による表面清浄化装置は、前記第６の態様による表面清浄化装置において、ガスサンプリング配管にガス切り替え手段を備えるものである。この第７の態様による表面清浄化装置によれば、ガスサンプリング配管に備えたガス切り替え手段により、複数の被表面清浄化部品を１台の高感度ガス分析装置で分析することが可能となり分析のコストを低減することが出来る。また、ガスの切り替えに際し、ガスサンプリングをしていない間も被表面清浄化部品にはガスを通流しておく必要があり、ガス切り替え手段の一方の出口は大気開放か、排気ダクト等に接続されていることが望ましい。
【００２０】
第８の態様による表面清浄化装置は、前記第６又は第７の態様による表面清浄化装置において、全長の長い被表面清浄化部品において、加熱領域を複数に分轄して、加熱領域をガスの流れ方向に沿って上流側から下流側へ移動させて行く表面清浄化装置である。この第８の態様による表面清浄化装置によれば、被表面清浄化部品の全長が長いため、全てをいっきに加熱した場合、下流部で不純物濃度が高濃度となり、酸化膜が形成される恐れがある場合、いくつかに分割して加熱処理を行うものである。この際、加熱の順序は脱離成分の再付着を防止するためガスの流れ方向に沿って上流側から下流側へと移動する。
【００２１】
第９の態様による表面清浄化部品は、前記第１乃至第５のいずれかの態様による表面清浄化処理を行った後、大気に暴露させる事なく高純度不活性ガスを充満させて気密封じを行った表面清浄化部品である。この第９の態様による表面清浄化部品によれば、表面清浄化処理後の気密封じにより、大気や、梱包材等に含まれる水分、有機物の再付着を防止することが出来る。
【００２２】
第１０の態様による表面清浄化部品は、前記第９の態様による表面清浄化部品において、当該表面清浄化部品の一部に高純度不活性ガス保有容器を備えるものである。この第１０の態様による表面清浄化部品によれば、表面清浄化部品の接続（現地組み立て作業）に際し、高純度不活性ガスの保有容器に貯えられた高圧の高純度不活性ガスを放出（パージ）させながら接続を続けていくことが可能で、表面清浄化部品の内部への大気の流入を防止できる。この際、高純度不活性ガス保有容器は、終端に取り付けておくことが望ましく、被表面清浄化部品を接続したら、高純度不活性ガス保有容器は取り外して、工場側の高純度不活性ガスを放出（パージ）させながら接続を続けていくことが好ましい。
【００２３】
第１１の態様による表面清浄化部品の施工方法は、前記第９又は第１０の態様による複数個の表面清浄化部品を組み立てるに際し、高純度不活性ガスを流しながら、ガスの流れ方向に沿って上流側から下流側へと組み立てを行っていくものである。この第１１の態様による施工方法によれば、高純度不活性ガスを放出（パージ）させながら接続を続けていくため、表面清浄化部品内部に大気の流入がなく、水分、有機物の再吸着を防止できる。
【００２４】
第１２の態様による表面清浄化部品の施工方法は、表面清浄化処理工場にて、第９又は第１０の態様による表面清浄化部品を製作し、輸送手段を用いて現地まで輸送し、現地にて組み立てを行うものである。この第１２の態様による施工方法によれば、現地での曲げ加工、溶接等の時間のかかる作業が必要なく短時間での施工が可能となる。たとえば、従来の施工方法との施工時間の比較を行えば、本発明を用いた施工方法では、従来の約１／５で施工を行うことが出来る。また、部品の共通化が可能となり、高純度ガス供給システムの価格低減も可能となる。
【００２５】
第１３の態様による被表面清浄化物の表面清浄化方法は、ガス流路内に被表面清浄化物の被清浄化表面が露出し、前記被表面清浄化物の前記被清浄化表面が高い温度に保持された状態で、前記ガス流路内に高純度不活性ガスを通流させる第１の段階を備えたものである。なお、前記被表面清浄化物は、部品であっても、複数の部品が組み立てられたものであってもよい。また、前記被表面清浄化物の材質は何ら限定されるものではないが、後述する第１６及び第１７の態様にはその例を挙げている。
【００２６】
この第１３の態様による表面清浄化方法によれば、ガス流路内に被表面清浄化物の表面が露出し、被表面清浄化物の表面が高い温度に保持された状態で、ガス流路内に高純度不活性ガスが通流しているので、被表面清浄化物の表面からの不純物等の脱離成分はこのガスで希釈され速やかに排出されていくので、被表面清浄化物の表面の清浄化が行なわれる。
【００２７】
第１４の態様による表面清浄化方法は、前記第１３の態様による表面清浄化方法において、前記第１の段階の後に、前記ガス流路内に前記高純度不活性ガスを通流させながら、前記被表面清浄化物の前記被清浄化表面の温度を略々室温に戻す第２の段階を備えたものである。
【００２８】
この第１４の態様による表面清浄化方法によれば、被表面清浄化物の表面から脱離した不純物等の脱離成分や滞留している不純物が再付着するようなことがない。
【００２９】
第１５の態様による表面清浄化方法は、前記第１４の態様による表面清浄化方法において、前記第１の段階及びその後の前記第２の段階が、複数回繰り返されるものである。
【００３０】
この第１５の態様による表面清浄化方法によれば、複数回の第１及び第２の段階によって、高純度不活性ガスによる不純物等の除去が十分に行なわれるので、残存する不純物等の濃度がより一層低減される。
【００３１】
第１６の態様による表面清浄化方法は、前記第１３乃至第１５のいずれかの態様による表面清浄化方法において、前記被表面清浄化物が、金属材料、金属蒸着材料及び金属メッキ材料のうちのいずれかを、前記被清浄化表面の少なくとも一部を形成する部分に少なくとも有するものである。
【００３２】
この第１６の態様による表面清浄化方法によれば、金属部分の表面の水素、水分及び有機物等の不純物の吸着量が低減され、例えば水素が脱離されることにより、表面清浄化後に、水素結合を介して水分や有機物が再付着することが阻止され、付着した水分や有機物を核とする有機物が凝縮してデンドライト状の突起物が成長してしまうような事態が防止され得る。
【００３３】
この場合、金属材料の中でも、特にニッケル、ステンレス鋼等のような水素を表面に貯蔵しやすい材料に効果があり、被表面清浄化物としては、アルミニウム等の金属から成る磁気ディスク基板、金属膜を表面に蒸着した光ディスク基板、そして半導体ウェハや液晶、さらには配管部品としての金属パッキン等が最も効果がある。
【００３４】
第１７の態様による表面清浄化方法は、前記第１３乃至第１５のいずれかの態様による表面清浄化方法において、前記被表面清浄化物が、可塑剤を有する樹脂材料を、前記被清浄化表面の少なくとも一部を形成する部分に少なくとも有するものである。
【００３５】
この第１７の態様による表面清浄化方法によれば、樹脂材料の表面に付着した水素、水分、有機物等の不純物の吸着量が低減されると共に、樹脂材料の表面側の部分に含まれていた可塑剤が脱離されて樹脂材料の表面側の可塑剤の濃度が内部側の可塑剤の濃度より低減される。これにより、表面清浄化後に、樹脂材料からの可塑剤の脱離及び再付着も防止され得る。
【００３６】
この場合、樹脂材料を有する被表面清浄化物としては、例えば、半導体ウェハの保管容器、半導体装置の保持容器、樹脂パッキンを備えた配管部品やこれを含む配管等を挙げることができる。
【００３７】
第１８の態様による表面清浄化方法は、前記第１３乃至第１７のいずれかの態様による表面清浄化方法において、前記被表面清浄化物が内部に流路を有し当該内部流路の壁面を前記被清浄化表面とする物品であり、当該物品が前記ガス流路の少なくとも一部を構成するように設置されるものである。前記物品としては、例えば、パイプ、バルブ等の配管部品やこれらの組立体である配管等を挙げることができる。
【００３８】
この第１８の態様による表面清浄化方法によれば、被表面清浄化物の内部流路を利用して、その内面に対して直接に高純度不活性ガスが導入される。従って、被表面清浄化物を高純度不活性ガス雰囲気中に保持するための処理室が不要となる。
【００３９】
第１９の態様による表面清浄化方法は、前記第１８の態様による表面清浄化方法において、前記第１の段階において、前記物品をその外側に配設された加熱手段により加熱することによって、前記被清浄化表面が高い温度に保持されるものである。
【００４０】
この第１９の態様による表面清浄化方法によれば、前記物品の外側に配設された加熱手段によって、被表面清浄化物の被清浄化表面が確実に所定の高温に保持され得る。
【００４１】
第２０の態様による表面清浄化方法は、前記第１８の態様による表面清浄化方法において、前記第１の段階において、前記高純度不活性ガスの温度が前記高純度不活性ガスが前記被清浄化表面に至る前に高くされていることによって、前記被清浄化表面が高い温度に保持されるものである。
【００４２】
この第２０の態様による表面清浄化方法によれば、前記物品の内部流路に導入される高純度不活性ガスが前以て加熱されることにより、この高い温度の高純度不活性ガスによって、被表面清浄化物の被清浄化表面が間接的に所定の高温に保持され得ることになり、前記物品を直接加熱する加熱手段が不要になる。
【００４３】
第２１の態様による表面清浄化方法は、前記第２０の態様による表面清浄化方法において、前記物品の外面が保温材により覆われているものである。
【００４４】
この第２１の態様による表面清浄化方法によれば、前以て加熱された高純度不活性ガスが前記物品の内部流路に導入されたとき、この内部流路を流れる高純度不活性ガスが前記物品の外側の保温剤によって保温されることにより、前記物品の内部流路の下流側における高純度不活性ガスの温度低下が低減されることになり、高純度不活性ガスによる表面清浄化がより効果的に行なわれ得る。
【００４５】
第２２の態様による表面清浄化方法は、前記第１３乃至第１７のいずれかの態様による表面清浄化方法において、前記ガス流路が処理室を有し、前記被表面清浄化物が前記処理室内に設置されるものである。
【００４６】
この第２２の態様による表面清浄化方法によれば、内部流路を有しない被表面清浄化物であっても、この被表面清浄化物を処理室内に収容することにより、所定の高い温度での高純度ガスによる表面清浄化が確実に行なわれ得る。
【００４７】
第２３の態様による表面清浄化方法は、前記第２２の態様による表面清浄化方法において、前記第１の段階において、前記処理室内の温度を前記処理室の外側に配設された加熱手段により上げることによって、被清浄化表面が高い温度に保持されるものである。
【００４８】
この第２３の態様による表面清浄化方法によれば、処理室の外側に配設された加熱手段によって、処理室内に収容された被表面清浄化物の被清浄化表面が確実に所定の高温に保持され得る。
【００４９】
第２４の態様による表面清浄化方法は、前記第２２の態様による表面清浄化方法において、前記第１の段階において、前記高純度不活性ガスの温度が前記高純度不活性ガスが前記処理室に至る前に高くされていることによって、前記被清浄化表面が高い温度に保持されるものである。
【００５０】
この第２４の態様による表面清浄化方法によれば、処理室内に導入される高純度不活性ガスが前以て加熱されることにより、この高い温度の高純度不活性ガスによって、処理室内に収容された被表面清浄化物の表面が間接的に所定の高温に保持され得ることになり、処理室を直接加熱する加熱手段が不要になる。
【００５１】
第２５の態様による表面清浄化方法は、前記第１３乃至第２４のいずれかの態様による表面清浄化方法において、前記高純度不活性ガスが高純度アルゴンガスであるものである。
【００５２】
この第２５の態様による表面清浄化方法によれば、高純度不活性ガスとして、表面に吸着している不純物の除去能力が最も優れているアルゴンガスが使用されている。従って、表面清浄化後の不純物の濃度がより一層低減されることになる。
【００５３】
第２６の態様による表面清浄化方法は、前記第１３乃至第２５のいずれかの態様による表面清浄化方法において、前記第１の段階において保持される前記被清浄化表面の温度が、前記被表面清浄化物の使用温度より少なくとも１０℃以上高い温度であるものである。
【００５４】
この第２６の態様による表面清浄化方法によれば、表面清浄化時の前記第１の段階における温度以下の温度においては不純物等の脱離が殆どないので、前述したしたように温度を設定しておくことによって、実際の使用温度で被表面清浄化部品の表面から不純物等が脱離し、再付着することが有効に防止され得る。
【００５５】
第２７の態様による表面清浄化方法は、前記第１３乃至第２６のいずれかの態様による表面清浄化方法において、前記第１の段階において保持される前記被清浄化表面の温度が３５０℃以上の温度であるものである。
【００５６】
この第２７の態様による表面清浄化方法によれば、ステンレス鋼においては水素の脱離ピークが３５０℃にあり、水素の脱離とともに水分やほとんどの有機物が脱離し、３５０℃以上の温度での脱離効率が優れている。
【００５７】
第２８の態様による表面清浄化方法は、前記第１３乃至第２７のいずれかの態様による表面清浄化方法において、前記被清浄化表面を通流したガスの成分を高感度ガス分析装置でモニタしつつ行われるものである。高感度ガス分析装置としては、例えば、大気圧イオン化質量分析（ＡＰＩＭＳ）や高圧イオン化質量分析（ＨＰＩＭＳ）を挙げることができる。
【００５８】
この第２８の態様による表面清浄化方法によれば、被表面清浄化物から脱離した成分をモニタリングしながら表面清浄化が行えるため、表面清浄化の終点検出が可能となり、最適時間で処理を行うことが出来る。
【００５９】
第２９の態様による表面清浄化方法は、内部に流路を有する物品の当該内部流路の壁面を清浄化する表面清浄化方法であって、当該物品の前記内部流路に高純度不活性ガスを通流させながら、前記物品を上流側から下流側に部分的に順次に加熱していくものである。
【００６０】
この第２９の態様による表面清浄化方法によれば、前記物品を上流側から下流側に部分的に順次加熱していくので、前記物品（配管や配管部品等）の全長が長い場合に、前記部品の全体が同時に加熱されて、下流側における不純物濃度が高濃度になることが防止される。
【００６１】
第３０の態様による表面清浄化方法は、前記第１３乃至第２９のいずれかの態様による表面清浄化方法において、前もって当該流路を真空引きする予備段階を備えたものである。この場合、前記第１３乃至第２８の態様に関しては、前記第１の段階の前に前記予備段階が行われ、前記第２９の態様に関しては、高純度不活性ガスを通流させる前に前記予備段階が行われる。
【００６２】
この第３０の態様による表面清浄化方法によれば、被表面清浄化物の被清浄化表面の微細な孔内に入っている不純物等が前記真空引きにより当該孔から出てくるので、表面清浄化効果が高まる。
【００６３】
第３１の態様による表面清浄化装置は、内部に流路を有する物品の当該内部流路の壁面を清浄化する表面清浄化装置であって、前記物品の前記内部流路に高純度不活性ガスを導入するガス供給手段と、前記物品を加熱する加熱手段と、を備えたものである。
【００６４】
この第３１の態様による表面清浄化装置によれば、前記加熱手段により物品の内部流路の壁面が高い温度に保持された状態で、前記内部流路に高純度不活性ガスを通流させることができる。したがって、前記内部流路の壁面からの不純物等の脱離成分はこのガスで希釈され速やかに排出されていくので、前記物品の内部流路の壁面を清浄化することができる。また、その後、加熱手段を停止させれば、高純度不活性ガスを内部流路に通流させた状態で、前記内部流路の壁面の温度を略々室温に戻すことができるので、前記内部流路の壁面から脱離した不純物等の脱離成分や滞留している不純物が再付着するようなことがない。また、前記第３１の態様では、前記物品の外側に配設された加熱手段によって、前記内部流路の壁面が確実に所定の高温に保持され得る。さらに、前記第３１の態様では前記物品の内部流路を利用して、その内面に対して直接に高純度不活性ガスが導入される。従って、前記物品を高純度不活性ガス雰囲気中に保持するための処理室が不要となる。
【００６５】
第３２の態様による表面清浄化装置は、前記第３１の態様による表面清浄化装置において、前記加熱手段が、前記物品の外面に前記物品の前記内部流路の方向に沿って配設されたワイヤ状のヒータであるものである。
【００６６】
この第３２の態様による表面清浄化装置によれば、ワイヤ状のヒータを前記物品の外面に前記内部流路の方向に沿って配設することにより、容易に加熱手段が配設されることになる。
【００６７】
第３３の態様による表面清浄化装置は、前記第３１又は第３２の態様による表面清浄化装置において、前記物品を冷却する冷却手段を備えたものである。
【００６８】
この第３３の態様による表面清浄化装置によれば、冷却手段を有しているので、前記物品の内部流路の壁面の温度を略々室温に戻す際に、その冷却時間を短縮することができる。
【００６９】
第３４の態様による表面清浄化装置は、内部に流路を有する物品の当該内部流路の壁面を清浄化する表面清浄化装置であって、前記物品の前記内部流路に高純度不活性ガスを導入するガス供給手段と、前記物品を上流側から下流側に部分的に順次に加熱する加熱手段と、を備えたものである。
【００７０】
この第３４の態様による表面清浄化装置によれば、前記第３１の態様による表面清浄化装置と同様に、前記物品の内部流路の壁面を清静化することができるとともに、前記物品を上流側から下流側に部分的に順次加熱していくので、前記物品（配管や配管部品等）の全長が長い場合に、前記部品の全体が同時に加熱されて、下流側における不純物濃度が高濃度になることが防止される。
【００７１】
第３５の態様による表面清浄化装置は、ガス流路の少なくとも一部を構成し、被表面清浄化物が設置される処理室と、前記処理室に高純度不活性ガスを導入するガス供給手段と、前記処理室の温度を上げる加熱手段と、を備えたものである。
【００７２】
この第３５の態様による表面清浄化装置によれば、前記加熱手段により処理室の温度ひいては被表面清浄化物の被清浄化表面が高い温度に保持された状態で、前記被清浄化表面に高純度不活性ガスを通流させることができる。したがって、前記被清浄化表面からの不純物等の脱離成分はこのガスで希釈され速やかに排出されていくので、前記被清浄化表面を清浄化をすることができる。また、その後、加熱手段を停止させれば、高純度不活性ガスを内部流路に通流させた状態で、被清浄化表面の温度を略々室温に戻すことができるので、被表面清浄化面から脱離した不純物等の脱離成分や滞留している不純物が再付着するようなことがない。また、前記第３５の態様では、処理室の外側に配設された加熱手段によって、処理室内に終了された被表面清浄化物の被清浄化表面が確実に所定の高温に保持され得る。さらに、前記第３５の態様によれば、内部流路を有しない被表面清浄化物であっても、この被表面清浄化物を処理室内に収容することにより、所定の高い温度での高純度ガスによる表面清浄化が確実に行なわれ得る。
【００７３】
第３６の態様による表面清浄化装置は、前記第３５の態様による表面清浄化装置において、前記処理室の温度を下げる冷却手段を備えたものである。
【００７４】
この第３６の態様による表面清浄化装置によれば、冷却手段を有しているので、処理室の温度ひいては被表面清浄化物の被清浄化表面の温度を略々室温に戻す際に、その冷却時間を短縮することができる。
【００７５】
第３７の態様による表面清浄化装置は、内部に流路を有する物品の当該内部流路の壁面を清浄化する表面清浄化装置であって、前記物品の前記内部流路に加熱された高純度不活性ガスと加熱されていない高純度不活性ガスとを切り換えて導入するガス供給手段とを備えたものである。
【００７６】
この第３７の態様による表面清浄化装置によれば、前記物品の内部流路に導入される高純度不活性ガスが前以て加熱されることにより、この高い温度の高純度不活性ガスによって、前記物品の内部流路の壁面が配管部品の表面が間接的に所定の高温に保持され得ることになり、前記物品を直接加熱する加熱手段が不要になる。
【００７７】
第３８の態様による表面清浄化装置は、前記第３７の態様による表面清浄化装置において、前記物品の外面を覆う保温材を備えたものである。
【００７８】
この第３８の態様による表面清浄化装置によれば、前以て加熱された高純度不活性ガスが前記物品の内部流路に導入されたとき、この物品の内部流路を流れる高純度不活性ガスが前記物品の外側の保温剤によって保温されることにより、前記物品の内部流路の下流側における高純度不活性ガスの温度低下が低減されることになり、高純度不活性ガスによる表面清浄化がより効果的に行なわれ得る。
【００７９】
第３９の態様による表面清浄化装置は、ガス流路の少なくとも一部を構成し、被表面清浄化物が設置される処理室と、前記処理室に加熱された高純度不活性ガスと加熱されていない高純度不活性ガスとを切り換えて導入するガス供給手段と、を備えたものである。
【００８０】
この第３９の態様による表面清浄化装置によれば、内部流路を有しない被表面清浄化物であっても、この被表面清浄化物を処理室内に収容することにより、所定の高い温度での高純度ガスによる表面清浄化が確実に行なわれ得る。また、前記第３９の態様によれば、処理室内に導入される高純度不活性ガスが前以て加熱されることにより、この高い温度の高純度不活性ガスによって、処理室内に収容された被表面清浄化物の被清浄化表面が間接的に所定の高温に保持され得ることになり、処理室を直接加熱する加熱手段が不要になる。
【００８１】
第４０の態様による表面清浄化装置は、前記第３１乃至第３９のいずれかの態様による表面清浄化装置において、前記高純度不活性ガスが高純度アルゴンガスであるものである。
【００８２】
この第４０の態様による表面清浄化装置によれば、高純度不活性ガスとして、表面に吸着している不純物の除去能力が最も優れているアルゴンガスが使用されている。従って、表面清浄化後の不純物の濃度がより一層低減されることになる。
【００８３】
第４１の態様による表面清浄化装置は、前記第３１乃至第４０のいずれかの態様による表面清浄化装置において、前記物品あるいは前記被表面清浄化物を通流したガスの成分をモニタする高感度ガス分析装置を備えたものである。
【００８４】
この第４１の態様による表面清浄化装置によれば、前記物品又は前記被表面清浄化物から脱離した成分をモニタリングしながら表面清浄化が行えるため、表面清浄化の終点検出が可能となり、最適時間で処理を行うことが出来る。
【００８５】
第４２の態様による物品は、可塑剤を有する樹脂材料を表面の少なくとも一部を形成する部分に少なくとも有する物品であって、表面に露出した樹脂材料部分における当該露出面のうちの少なくとも一部の領域において、露出面側の前記可塑剤の濃度が内部側の前記可塑剤の濃度より低いものである。
【００８６】
可塑剤を有する樹脂材料を用いた従来の物品（例えば、半導体ウェハの保管容器や半導体装置の保持容器等あるいはパッキン等の配管部品）では当該樹脂材料中に可塑剤が均一に含まれるが、前記第４２の態様による物品では、露出面側の可塑剤の濃度が内部側の可塑剤の濃度より低くなっているので、当該露出面（表面）からの可塑剤の脱離量が低減されることとなる。このような物品は、前記第１３乃至第３０の態様による表面清浄化方法や前記第３１乃至第４０の態様による表面清浄化装置を用いて表面清浄化を行うことにより得ることができる。
【００８７】
第４３の態様による表面清浄化物は、前記第１３乃至第３０のいずれかの態様による表面清浄化方法が行われたものである。
【００８８】
第４４の態様による表面清浄化物は、前記第４３の態様による被表面清浄化物において、当該表面清浄化物が、内部に流路を有し当該内部流路の壁面を清浄化表面とする物品であり、前記第１３乃至第３０のいずれかの態様による表面清浄化方法が行われた後に、前記内部流路を大気に暴露させることなく前記内部流路内に高純度不活性ガスを充満させて前記内部流路の気密封じを行ったものである。
【００８９】
この第４４の態様による表面清浄化物によれば、表面清浄化後の保管や搬送の際に、大気や梱包材等に含まれる水分、有機物等の不純物の再付着が防止され得る。
【００９０】
第４５の態様による表面清浄化物は、前記第４４の態様による被表面清浄化物において、内部に高圧の高純度不活性ガスを保有した高純度不活性ガス保有容器であって、その内部が前記内部流路に連通可能な高純度不活性ガス保有容器を備えたものである。
【００９１】
この第４５の態様による表面清浄化物によれば、当該被表面清浄化物が配管部品等である場合、当該表面清浄化部品の接続（現地組み立て作業）に際し、高純度不活性ガスの保有容器に貯えられた高圧の高純度不活性ガスを放出（パージ）させながら接続を続けていくことが可能で、表面清浄化部品の内部への大気の流入を防止できる。この際、高純度不活性ガス保有容器は、終端に取り付けておくことが望ましく、被表面清浄化部品を接続したら、高純度不活性ガス保有容器は取り外して、工場側の高純度不活性ガスを放出（パージ）させながら接続を続けていくことが好ましい。
【００９２】
第４６の態様による表面清浄化物は、前記第４３の態様による表面清浄化物において、前記第１３乃至第３０のいずれかの態様による表面清浄化方法が行われた後に、当該表面清浄化物を大気に暴露させることなく前記内部に高純度不活性ガスを充満させた容器内に収容して前記容器の気密封じを行ったものである。
【００９３】
この第４６の態様による表面清浄化物によれば、表面清浄化後の保管や搬送の際に、大気や梱包材等に含まれる水分、有機物等の不純物の再付着が防止され得る。
【００９４】
第４７の態様による被表面清浄化部品の施工方法は、前記第４４乃至第４６のいずれかの態様による複数の被表面清浄化物であって、各々が配管装置の構成部品である複数の表面清浄化物を組み立てるに際し、高純度不活性ガスを流しながら、ガスの流れの方向に沿って上流側から下流側へと組み立てを行っていくものである。
【００９５】
この第４７の態様による施工方法によれば、高純度不活性ガスを放出（パージ）させながら接続を続けていくため、表面清浄化部品内部に大気の流入がなく、水分、有機物の再吸着を防止できる。
【００９６】
第４８の態様によるクリップ部材は、配管又は配管部品を外周の一部を除いて外周方向に包むとともに前記配管又は配管部品を挟持することにより、前記配管又は配管部品に対して固定されるバネ性を有するクリップ部材であって、ワイヤ状部材を前記配管又は配管部品の表面に当接した状態に保持する凹部を備えたものである。
【００９７】
この第４８の態様によるクリップ部材によれば、クリップ部材が配管部品の外面に対して容易に取り付けられると共に、ワイヤ状部材例えばワイヤ状のヒータが、配管又は配管部品の外面に対して確実に位置決めされ得る。したがって、このクリップ部材を用いれば、当該ヒータ等を配管又は配管部品に容易かつ着脱可能に配管部品の外面に取り付けることができる。
【００９８】
第４９の態様による半導体製造装置は、半導体装置の製造に用いられるガスが通流される配管を有する半導体製造装置において、前記配管に高純度不活性ガスを導入するガス供給手段と、前記配管を加熱する加熱手段と、を備えたものである。
【００９９】
この第４９の態様による半導体製造装置によれば、前記加熱手段により配管の内部流路の壁面が高い温度に保持された状態で、前記内部流路に高純度不活性ガスを通流させることができる。したがって、前記内部流路の壁面からの不純物等の脱離成分はこのガスで希釈され速やかに排出されていくので、前記配管の内部流路の壁面を清浄化することができる。また、その後、加熱手段を停止させれば、高純度不活性ガスを配管の内部流路に通流させた状態で、前記内部流路の壁面の温度を略々室温に戻すことができるので、前記内部流路の壁面から脱離した不純物等の脱離成分や滞留している不純物が再付着するようなことがない。したがって、前記第４９の態様によれば、前記ガス供給手段及び加熱手段を当該半導体製造装置の組立完了後の使用開始前やその後に定期的又は必要に応じて作動させて、前記配管の表面清浄化を行えば、前記配管を通流するガス中の不純物が低減され、半導体製造の歩留りが向上するなどの利点が得られる。なお、前記第４９の態様では、前記配管の外側に配設された加熱手段によって、前記配管の内部流路の壁面が確実に所定の高温に保持され得る。
【０１００】
第５０の態様による半導体製造装置は、半導体装置の製造に用いられるガスが通流される配管を有する半導体製造装置において、前記配管に高純度不活性ガスを導入するガス供給手段と、前記配管を上流側から下流側に部分的に順次に加熱する加熱手段と、を備えたものである。
【０１０１】
この第５０の態様による半導体製造装置によれば、前記第４９の態様と同様に、前記配管の内部流路の壁面を清浄化することができるとともに、前記配管を上流側から下流側に部分的に順次加熱していくので、前記配管の全長が長い場合に、前記配管の全体が同時に加熱されて、下流側における不純物濃度が高濃度になることが防止される。
【０１０２】
第５１の態様による半導体製造装置は、半導体装置の製造に用いられるガスが通流される配管を有する半導体製造装置において、前記配管に加熱された高純度不活性ガスと加熱されていない高純度ガスとを切り換えて導入するガス供給手段と、を備えたものである。
【０１０３】
この第５１の態様による半導体製造装置によれば、前記第４９の態様と同様に、前記配管の内部流路の壁面を清浄化することができるとともに、前記配管に導入される高純度不活性ガスが前以て加熱されることにより、この高い温度の高純度不活性ガスによって、前記配管の内部流路の壁面が配管部品の表面が間接的に所定の高温に保持され得ることになり、前記配管を直接加熱する加熱手段が不要になる。
【０１０４】
第５２の態様による半導体製造装置は、前記第５１の態様による半導体製造装置において、前記配管の外面を覆う保温材を備えたものである。
【０１０５】
この第５２の態様による半導体製造装置によれば、前以て加熱された高純度不活性ガスが前記配管の内部流路に導入されたとき、この配管の内部流路を流れる高純度不活性ガスが前記配管の外側の保温剤によって保温されることにより、前記配管の内部流路の下流側における高純度不活性ガスの温度低下が低減されることになり、高純度不活性ガスによる表面清浄化がより効果的に行なわれ得る。
【０１０６】
なお、前記第４９乃至第５２の態様による半導体製造装置は、いわゆる半導体製造プラントに相当するものである。
【発明の効果】
【０１０７】
本発明によれば、高純度ガス供給部品（配管）からの水素、水分、有機物の除去技術及び再付着防止技術、そして樹脂部品からの可塑剤の除去技術及び再付着防止技術を提供し、この技術により表面清浄化部品を提供できる。また、本発明によれば、磁気ディスク基板、光ディスク基板、半導体ウェハ、液晶、金属パッキン等の表面に有機物起因の突起物の成長を防止できる技術を提供できる。さらに、本発明によれば、高純度ガス供給システムの現地での施工時間や施工後のシステム立ち上げ時間（使用可能となるまでの時間）を短縮できる技術を提供できる。
【０１０８】
また、本発明によれば、ガス流路を構成する配管装置を備えた半導体製造装置の組立後の表面清浄化を迅速に行なうことができる技術を提供できる。
【発明を実施するための最良の形態】
【０１０９】
以下、本発明の実施の形態について図面を参照して説明する。
【０１１０】
図１は、本発明の一実施の形態による表面清浄化装置を示す概略構成図である。
【０１１１】
図１に示す表面清浄化装置は、ガスの流れ方向に沿って、高純度不活性ガス流入口１ａ、被表面清浄化物としての被表面清浄化部品２ａ、ガスサンプリング配管３ａ、高感度ガス分析装置４ａの順序で構成され、被表面清浄化部品２ａの外周部に加熱手段５ａを備えるものである。加熱手段５ａは、温度センサー６ａを用いて温度調節器７ａで温度を制御している。また、ガスサンプリング配管３ａは、被表面清浄化部品２ａから脱離した水分、有機物が再吸着しないように、外周部に加熱手段５Ａを備え、温度センサー６Ａを用いて温度調節器７Ａで温度を制御している。また、被表面清浄化部品２ａの下部には冷却ファン８が付いており、冷却時間を短縮出来るようになっている。
【０１１２】
前記高純度不活性ガス流入口１ａには、図示しない高純度不活性ガス供給源が接続されている。
【０１１３】
被表面清浄化物としての前記被表面清浄化部品２ａは、この実施の形態においては、内部に流路を有し当該内部流路の壁面を被清浄化表面とする物品のうちの部品、例えば、パイプ、バルブ、フィルタ等の配管部品となっている。もっとも、本実施の形態では、被表面清浄化物は、被表面清浄化部品２ａに代えて、このような部品ではない前記物品、例えば、前記配管部品の組立体である配管等としてもよい。被表面清浄化物品２ａは、金属材料、金属蒸着材料及び金属メッキ材料のうちのいずれかを、被清浄化表面の少なくとも一部を形成する部分に少なくとも有するものであってもよい。また、被表面清浄化物品２ａは、可塑剤を有する樹脂材料又は可塑剤を有しない樹脂材料を、被清浄化表面の少なくとも一部を形成する部分に少なくとも有していてもよい。
【０１１４】
本実施の形態では、被表面清浄化物品２ａが内部流路（図示せず）を有し当該内部流路の壁面を被清浄化表面としていることから、前記内部流路の入口端に前記高純度不活性ガス流入口１ａが接続されると共に、前記内部流路の出口端にガスサンプリング配管３ａが接続されている。
【０１１５】
前記ガスサンプリング配管３ａは、被表面清浄化部品２ａのガス流路を通過したガスを高感度ガス分析装置４ａに導くためのものであり、高感度ガス分析装置４ａに導入されたガスは当該分析装置４ａから外部に排気される。
【０１１６】
前記高感度ガス分析装置４ａは、導入されたガス中の不純物濃度を測定するための装置であり、例えば、大気圧イオン化質量分析装置（ＡＰＩＭＳ）や高圧イオン化質量分析装置（ＨＰＩＭＳ）を用いることができる。
【０１１７】
前記加熱手段５ａ，５Ａは、それぞれ被表面清浄化部品２ａ及びガスサンプリング配管３ａの外周部に設けられたヒータ等から構成されており、それぞれ温度センサー６ａ，６Ａからの検出温度に基づいて、温度調節器７ａ，７Ａにより制御されて、これら被表面清浄化部品２ａ及びガスサンプリング配管３ａを直接的に加熱することにより、被表面清浄化部品２ａ（ひいては、その被清浄化表面である内部流路の壁面）及びガスサンプリング配管３ａを所定温度に保持するようになっている。
【０１１８】
前記加熱手段５ａ，５Ａとしてのヒータは、例えばステンレスシーズヒータ等のワイヤ状のヒータやゴムタイプのヒータから構成されている。また前記温度センサー６ａ，６Ａは、例えば熱電対から構成されている。
【０１１９】
前記冷却ファン８は、図１に示す例では、被表面清浄化部品２ａの下方に配設されており、冷却手段として、被表面清浄化部品２ａを強制的に空冷するものである。
【０１２０】
図２の実施の形態は、ガスサンプリング配管３ｂにガス切り替え手段９を備え、複数個の表面清浄化処理が行える表面清浄化装置で、ガスの流れ方向に沿って、高純度不活性ガス流入口１ｂ、分岐管１０を介して被表面清浄化部品２ｂ、ガスサンプリング配管３ｂ、順序で構成され、被表面清浄化部品２ｂの外周部に加熱手段５ｂを備えており、温度センサー６ｂを用いて温度調節器７ｂで温度を制御を行っている。また、図１の実施の形態と同様に、ガスサンプリング配管３ｂは、被表面清浄化部品２ｂから脱離した水分、有機物が再吸着しないように、外周部に加熱手段５Ｂを備え、温度センサー６Ｂを用いて温度調節器７Ｂで温度を制御している。さらに、ガスサンプリング配管３ｂにはガス切り替え手段９が付いており、一方の出口を大気に開放し、もう一方の出口が高感度ガス分析装置４ｂに接続されている。本実施の形態で説明したガス切り替え手段９は、複数個に別れたガス切り替え手段９を説明したが、図示は行わないが、複数個のガス切り替え流路を１個のガス切り替え手段９の中に備えた、ロータリー式ガス切り替えバルブを用いてもよい。なお、本実施の形態においても、被表面清浄化物品２ｂは、被表面清浄化物品２ａと同様に、内部に流路を有し当該内部流路の壁面を被清浄化表面とする物品のうちの部品、例えば、配管部品とされている。
【０１２１】
前述した図１及び図２の各実施の形態によれば、図示しない高純度不活性ガス供給源から、高純度不活性ガス流入口１ａ，１ｂを介して、被表面清浄化部品２ａ，２ｂの内部に、高純度不活性ガス、例えばアルゴンガスが導入される。ここで、被表面清浄化部品２ａ，２ｂは、それぞれ加熱手段５ａ，５ｂにより加熱されて、所定温度に保持された状態において、被表面清浄化部品２ａ，２ｂの内部流路には、高純度不活性ガスが通流することになる。これにより、被表面清浄化部品２ａ，２ｂの内面に吸着されている水素、水分及び有機物等の不純物や樹脂部分中に含まれる可塑剤等の有機物（以下、不純物等）が脱離し、高純度不活性ガスによって希釈され、ガス流によって下流に流れて、被表面清浄化部品２ａ，２ｂ内から速やかに排出される。なお、被表面清浄化物品２ａ，２ｂの内部流路の壁面（被清浄化表面）が高い温度に保持されていることから、不純物等の脱離効果が高まるのである。
【０１２２】
この場合、加熱手段５ａ，５ｂの加熱による所定温度は、例えば被表面清浄化部品２ａ，２ｂの使用温度より１０℃以上高い温度に設定され、被表面清浄化部品２ａ，２ｂが金属材料例えばステンレス鋼から成る場合には、水素の脱離ピークである３５０℃以上に設定される。
【０１２３】
その後、加熱手段５ａ，５ｂによる加熱が中断され、冷却ファン８が作動することにより、被表面清浄化部品２ａ，２ｂは、強制空冷され、室温まで戻される。このとき、被表面清浄化部品２ａ，２ｂ内には、高純度不活性ガスが通流しているので、前述したように脱離した不純物等が冷却に伴って被表面清浄化部品２ａ，２ｂの内面に再付着するようなことが防止される。
【０１２４】
なお、前記冷却ファン８は、強制空冷によって、被表面清浄化部品２ａ，２ｂの冷却を促進するためのものであり、省略されてもよい。冷却ファン８が省略された場合には、被表面清浄化部品２ａ，２ｂは、自然冷却によって、室温まで戻される。また、冷却ファン８による空冷の代わりに、冷却手段として、水冷方式等の他の方式の冷却手段も使用され得る。
【０１２５】
そして、この高純度不活性ガスは、この被表面清浄化部品２ａ，２ｂを通流した後、ガスサンプリング配管３ａ，３ｂそしてガス切り替え手段９（図２の場合）を介して、高感度ガス分析装置４ａ，４ｂ内に導入され、その不純物濃度が検出される。これにより、被表面清浄化部品２ａ，２ｂの不純物濃度の低下が測定され、表面清浄化が確認され得る。
【０１２６】
ここで、具体的な実験例を以下に示す。被表面清浄化部品２ａ，２ｂとして、直径１／４インチ、全長８ｍのステンレス配管を使用して、高純度不活性ガスとして不純物濃度１ｐｐｂ以下の高純度アルゴンガスを約１リットル／分で通流させて、２００℃にて約１時間処理を行なった。
【０１２７】
ここで、最初に被表面清浄化部品２ａ，２ｂの内面が２００℃になったとき、即ち表面清浄化処理前における排出ガスを、高感度ガス分析装置４ａとして大気圧イオン化質量分析装置（ＡＰＩＭＳ）を用いて分析したところ、図５（ａ）のグラフに示すような結果が得られた。図５（ａ）において、横軸は質量数（ｍ／ｚ）を示し、縦軸はイオン強度（Ａ）を示す（後述する図５（ｂ）も同様）。図５（ａ）のグラフから明らかなように、水分Ｈ２Ｏ及び有機物（例えばハイドロカーボン系有機物）が多量に検出されている。
【０１２８】
これに対して、表面清浄化処理後、即ち前記処理後に、一旦室温まで戻した後、再度２００℃に加熱したとき、排出ガスの成分を分析したところ、図５（ｂ）のグラフに示すような結果が得られた。図５（ｂ）のグラフから明らかなように、水分Ｈ２Ｏの脱離が著しく低減し、有機物もほとんど検出されず、また図５（ａ）で全く見ることができなかった親イオンであるアルゴンイオンのピークも見られる等、被表面清浄化部品２ａ，２ｂの表面清浄化が確認された。
【０１２９】
これは、例えば図６（ａ）に示すように、被表面清浄化部品２ａ，２ｂの表面には、図示のように、ミクロ的に見ると、孔２ｅがあって、この孔２ｅ内に、水素、水分や有機物等の不純物が入っている。これらの不純物が、前述した加熱手段５ａ，５ｂによる加熱によって膨張して、膨張した余分の不純物がこの孔２ｅから押し出されて脱離する。これにより、室温に戻されたとき、図６（ｂ）に示すように、不純物が収縮すると共に、高純度不活性ガスを引き込むことになる。従って、孔２ｅ内における不純物濃度が低下することにより、被表面清浄化部品２ａ，２ｂの表面が清浄化されるのである。このような原理は、被表面清浄化物品２ａ，２ｂの材質が、金属、樹脂（可塑剤を含んでいても含んでいなくても）などいずれの材質であっても、適用され得る。
【０１３０】
なお、前述したように前記孔２ｅ内に不純物が入っているので、高純度不活性ガスを通流させる前に、予め前記不純物を当該孔２ｅから追い出すように、被表面清浄化物品２ａ，２ｂの内部流路を、図示しない真空ポンプで真空引きしておくことが好ましい。
【０１３１】
なお、被表面清浄化部品２ａ，２ｂが金属の場合、従来の真空中での加熱による表面処理やクロム酸化膜を作る表面処理においては、表面処理された被表面清浄化部品２ａ，２ｂの表面は、きつね色又は金色になるが、本発明による表面清浄化処理では、被表面清浄化部品２ａ，２ｂの表面は、金属光沢がそのまま現われるので、一見しただけで処理の違いが明白になる。
【０１３２】
さらに、図６（ｂ）に示すように一度表面清浄化された被表面清浄化部品２ａ，２ｂが、再度加熱され高純度不活性ガスが通流された後、常温に戻されると、図６（ｃ）に示すように、加熱によって不純物及び高純度不活性ガスが膨張して脱離し、その後常温に戻されたとき、再び高純度不活性ガスを引き込むことになるため、孔２ｅ内における不純物濃度がより一層低下することになる。従って、高純度不活性ガスを通流させながらの加熱及び冷却を複数回繰り返すことによって、より不純物濃度の低い表面清浄化が達成されることになる。なお、この再度の高純度不活性ガスの通流しながらの加熱の前にも、被表面清浄化物品２ａ，２ｂの内部流路を、一旦、図示しない真空ポンプで真空引きしておくことが好ましい。
【０１３３】
なお、被表面清浄化物品２ａ，２ｂの全長が長い場合には、前記加熱手段５Ａが、被表面清浄化物品２ａ，２ｂの内部流路に沿って複数部分に分割されていて、上流側から下流側に向かって順次に加熱を行なうように、制御されるようにしてもよい。あるいは、加熱領域の小さい加熱手段を用い、これを上流側から下流側にかけて移動させていってもよい。これにより、全長の長い被表面清浄化物品２ａ，２ｂ全体が同時に加熱されて、その下流端における不純物濃度が高濃度になることが防止される。
【０１３４】
図３の実施の形態は、表面清浄化を行った後、大気に暴露させる事なく高純度不活性ガスを充満させて気密封じを行った表面清浄化部品（内部流路を有する物品）で、被表面清浄化部品２ｃの高純度不活性ガス流入口１ｃに、閉塞部材としてのオールメタルバルブ１１ｃが取り付けられており、ガス流出口１２ｃが閉塞部材としてのブラインドナット１３ｃ等で密閉されている。気密処理の行いかたは、まず、被表面清浄化部品２ｃの表面清浄化処理を行い、室温まで冷却した後、高純度不活性ガスを流しながら、ガス流出口１２ｃをブラインドナット１３ｃで閉めた後、最後にオールメタルバルブ１１ｃを閉め、高純度不活性ガス流入口１ｃの対向面のオールメタルバルブ１１ｃの接続口をガス供給系から取り外す。また、図示は行わないが、気密封じを行う、オールメタルバルブ１１ｃは、ブラインドナットでもよい。
【０１３５】
図４の実施の形態は、被表面清浄化部品２ｄの両端にオールメタルバルブ１１ｄ、１１Ｄを備え、オールメタルバルブ１１Ｄの他方の接続口に高圧の高純度不活性ガスを充満した高純度不活性ガス保有容器１４を備えるものである。この高純度不活性ガス保有容器１４は、表面清浄化部品の組み立て時に、高純度不活性ガスを放出（パージ）させながら組み立てを行うためのもので、大気の流入を防ぎながら組み立てを行うことが出来る。また、図示は行わないが、気密封じを行う、オールメタルバルブ１１ｄは、ブラインドナットでもよい。
【０１３６】
図７の実施の態様は、被表面清浄化部品２ａ，２ｂが配管部品としてのパイプである場合（配管の場合でもよい）に、この被表面清浄化部品２ａ，２ｂの外面に沿って、加熱手段５ａとしてのワイヤ状のヒータ及び温度センサー６ａとしての熱電対を固定するためのクリップ部材１５である。
【０１３７】
このクリップ部材１５は、バネ性を有しており、配管部品である被表面清浄化物品２ａ，２ｂを外周の一部（図７（ｂ）では、上部）を除いて外周方向に包むとともに被表面清浄化物品２ａ，２ｂを挟持することにより、被表面清浄化物品２ａ，２ｂに対して固定されるものであり、さらに、ワイヤ状部材を被表面清浄化物品２ａ，２ｂの表面に当接した状態に保持する凹部１５ｃ，１５ｄを有している。
【０１３８】
本実施の形態では、クリップ部材１５は、例えば、樹脂板や金属板等からなり、中間片１５ｅと、該中間片１５ｅの両側に連続して斜めに起立した両側片１５ａ，１５ｂとから構成されている。側片１５ａと中間片１５ｅとの間の内側角部分、及び、側片１５ｂとの間の内側角部分が、前記凹部１５ｃ，１５ｄとなっている。図７に示す状態においては、両側片１５ａ，１５ｂが互いに近づく方向に自身のバネ性により付勢されており、これにより各片１５ａ，１５ｂ，１５ｅが被表面清浄化物品２ａ，２ｂの３箇所に当接して当該被表面清浄化物品２ａ，２ｂを挟持している。
【０１３９】
ワイヤ状のヒータ５ａ及び熱電対６ａは、配管部品である被表面清浄化部品２ａ，２ｂの長手方向に沿って、複数箇所にて、それぞれクリップ部材１５によって、被表面清浄化部品２ａ，２ｂの外面に固定される。その際、クリップ部材１５は、被表面清浄化部品２ａ，２ｂに対して、長手軸と垂直に押し込むことにより、両側片１５ａ，１５ｂが一旦外側に撓んだ後、被表面清浄化部品２ａ，２ｂを抱き込むように係合するので、容易に取り付けられ得る。
【０１４０】
図８は、図１及び図２に示した表面清浄化装置に使用される高純度不活性ガス供給源の一構成例を示している。
【０１４１】
この場合、高純度不活性ガス供給源１６は、ガスボンベ等のガス貯蔵源１６ａと、ガス貯蔵源１６ａからの高純度不活性ガスの圧力を調整するためのレギュレータ１６ｂと、ガス流量を計測するためのガス流量計１７と、ガスの不純物を除去する純化器１８と、から構成されている。これにより、純化器１８を介して、高純度不活性ガスが供給されるようになっている。
【０１４２】
これに対して、前記高純度不活性ガス供給源１６は、図９に示すように、前述した純化器１８の下流に、さらにヒータ１９ａ及び温度調整器１９ｂから成る加熱部１９を備えていてもよい。
【０１４３】
これにより、純化器１８からの高純度不活性ガスは、図１０に示すように、さらに加熱部１９により例えば１５０℃に加熱された後、被表面清浄化部品２ａ，２ｂ内に供給されることになる。この場合、被表面清浄化部品２ａ，２ｂの内部流路の壁面（被清浄化表面）は、加熱された高純度不活性ガスによって、間接的に加熱されることになるため、図１及び図２の表面清浄化装置における加熱手段５ａ，５ｂを省略してもよい。なお、図９に示す高純度不活性ガス供給源は、ヒータ１９ａを停止させれば加熱されていない高純度不活性ガスを供給することになるので、加熱された高純度不活性ガスと加熱されていない高純度不活性ガスとを切り換えて供給する手段を構成している。
【０１４４】
なお、加熱された高純度不活性ガスが導入される被表面清浄化部品２ａ，２ｂとして、図１１に示すように、比較的長いガス流路を有する被表面清浄化物としての配管２ｆが使用される場合、好ましくは、配管２ｆの周りに、保温材２０が配設されている。これにより、配管２ｆは、保温材２０によって断熱されるので、配管２ｆを流れる高純度不活性ガスの放熱が低減され、配管２ｆの出口端付近における高純度不活性ガスの温度低下が抑制されることになる。
【０１４５】
図１２の実施の態様による表面清浄化装置は、ガスの流れ方向に沿って、高純度不活性ガス流入口２１、被表面清浄化物２２ａが収容される処理室２２、ガスサンプリング配管２３、高感度ガス分析装置２４の順序で構成され、被表面清浄化物２２ａの外周部に加熱手段２５ａを備えるものである。加熱手段２５ａは、温度センサー２６ａを用いて温度調節器２７ａで温度を制御している。また、ガスサンプリング配管２３ａは、被表面清浄化物２２ａから脱離した水分、有機物が再吸着しないように、外周部に加熱手段２５Ａを備え、温度センサー２６Ａを用いて温度調節器２７Ａで温度を制御している。また、被表面清浄化物２２ａの下部には冷却ファン２８が付いており、冷却時間を短縮出来るようになっている。
【０１４６】
前記図１２に示す表面清浄化装置は、図１の表面清浄化装置に比較して、被表面清浄化物２２ａが処理室２２内に収容されている点でのみ異なる構成になっている。
【０１４７】
前記処理室２２は、気密構造に構成されていると共に、内部空間が、被表面清浄化物２２ａを収容し得る大きさに形成されている。そして、処理室２２は、その入口端に、前記高純度不活性ガス流入口２１が接続されると共に、その出口端に、ガスサンプリング配管２３が接続されている。
【０１４８】
前記被表面清浄化物２２ａは、例えば金属材料から成る配管部品、例えばバルブ、フィルタだけでなく、磁気ディスク基板等のあらゆる材料から成る各種部品、さらには可塑剤を有する樹脂材料から成る樹脂製品、例えば半導体ウェハの保管容器、半導体装置の保持容器や、配管部品としてのパッキン等であってもよい。被表面清浄化物２２ａは、金属材料、金属蒸着材料及び金属メッキ材料のうちのいずれかを、被清浄化表面の少なくとも一部を形成する部分に少なくとも有するものであってもよい。被表面清浄化物２２ａは、可塑剤を有する樹脂材料又は可塑剤を有しない樹脂材料を、被清浄化表面の少なくとも一部を形成する部分に少なくとも有していてもよい。また、前記被表面清浄化物２２ａは、内部流路を有する物品であってもよいし、内部流路を有しない物品であってもよい。
【０１４９】
このような構成の表面清浄化装置によれば、図示しない高純度不活性ガス供給源から、高純度不活性ガス流入口２１を介して、処理室２２の内部に、高純度不活性ガス、例えばアルゴンガスが導入される。ここで、処理室２２は、加熱手段２５ａにより加熱されて、所定温度に保持されているので、処理室２２内に収容された被表面清浄化物２２ａの表面は、間接的にこの所定温度に保持されることになると共に、その外側の表面を高純度不活性ガスが通流することになる。これにより、被表面清浄化物２２の表面に吸着されている水素、水分及び有機物等の不純物や樹脂材料中に含まれる可塑剤等の有機物（以下、不純物等）が脱離し、高純度不活性ガスによって希釈され、ガス流によって下流に流れて、処理室２２から速やかに排出される。なお、被表面清浄化物品２ａ，２ｂの内部流路の壁面（被清浄化表面）が高い温度に保持されていることから、不純物等の脱離効果が高まるのである。
【０１５０】
この場合、加熱手段２５ａの加熱による所定温度は、例えば被表面清浄化物２２ａの使用温度より１０℃以上高い温度に設定されると共に、樹脂部品を構成する樹脂材料の耐熱温度を考慮して、この耐熱温度より低い温度に設定される。
【０１５１】
その後、加熱手段２５ａによる加熱が中断され、冷却ファン２８が作動することにより、処理室２２は、強制空冷され、室温まで戻される。このとき、処理室２２内には、高純度不活性ガスが通流しているので、前述したように被表面清浄化物２２ａの表面から脱離した不純物等が冷却に伴って、処理室２２の内面や被表面清浄化物２２ａの表面に再付着するようなことが防止される。
【０１５２】
なお、前記冷却ファン２８は、強制空冷によって、被表面清浄化物２２ａの冷却を促進するためのものであり、省略されてもよい。冷却ファン２８が省略された場合には、被表面清浄化物２２ａは、自然冷却によって、室温まで戻される。また、冷却ファン２８による空冷の代わりに、冷却手段として、水冷方式等の他の方式の冷却手段も使用され得る。
【０１５３】
そして、この高純度不活性ガスは、この処理室２２を通流した後、ガスサンプリング配管２３を介して、高感度ガス分析装置２４内に導入され、その不純物濃度が検出される。これにより、被表面清浄化物２２ａの不純物濃度の低下が測定され、表面清浄化が確認され得る。
【０１５４】
なお、本実施の形態においても、図１及び図２の各実施の形態と同様に、高純度不活性ガスを通流させながらの加熱及び冷却を複数回繰り返してもよい。また、本実施の形態においても、高純度不活性ガスを通流させる前に、予め処理室２２を図示しない真空ポンプで真空引きしておくことが好ましい。
【０１５５】
本実施の形態においても、図６を参照して説明した原理により表面の清浄化が行われる。
【０１５６】
前記被表面清浄化物２２ａが、可塑剤を有する樹脂材料を、被清浄化表面の少なくとも一部を形成する部分に少なくとも有しているもの、例えば、可塑剤を有する樹脂材料からなるパッキンやフィルタや半導体ウエハの保管容器などである場合には、図６を参照して説明した原理により表面の清浄化が行われるのみならず、次に説明するように、当該樹脂材料の表面側領域に含まれていた可塑剤が脱離される。
【０１５７】
すなわち、図１３（ａ）に示すように、前記表面清浄化処理前には、樹脂部品である被表面清浄化物２２ａの内部に、可塑剤２２ｂが均一に含まれている。そして、被表面清浄化物２２ａの表面領域における可塑剤２２ｂが、前述した加熱手段２５ａによる加熱によって、図１３（ｂ）に示すように、被表面清浄化物２２ａの表面から脱離する。このとき、被表面清浄化物２２ａの可塑剤２２ｂがあった部分には、高純度不活性ガスが入り込むことになる。その結果、当該被表面清浄化物２２ａの表面側の可塑剤の濃度が内部側の可塑剤の濃度より低くなる。これにより、被表面清浄化物２２ａの表面が清浄化されることになり、当該被表面清浄化物２２ａの使用時には可塑剤の脱離量が低減される。なお、この点は、前述した図１及び図２の各実施の形態においも、被表面清浄化物品２ａ，２ｂが、可塑剤を有する樹脂材料を、被清浄化表面の少なくとも一部を形成する部分に少なくとも有していれば、同様である。
【０１５８】
従って、例えば被表面清浄化物２２ａとして、樹脂部品である半導体ウェハの保管容器が使用される場合、従来は純水で洗うだけの表面清浄化処理によって、半導体ウェハを保管するために使用されており、保管容器に残る可塑剤によって半導体ウェハが汚染されていたが、前述した表面清浄化処理によって、その表面側領域の可塑剤が脱離された半導体ウェハの保管容器によれば、保管する半導体ウェハの可塑剤による汚染が確実に防止され得る。
【０１５９】
なお、本実施の形態においても、図８に示すような高純度不活性ガス供給源１６に代えて、図９に示すような高純度不活性ガス供給源１６を用い、加熱手段２５ａを省略してもよい。
【０１６０】
また、前記処理室２２を容器として図１及び図２における被表面清浄化物品２ａ，２ｂと同様に取り扱えるようにしておけば、被表面清浄化物２２を収容した当該容器に関して、図３の場合や図４の場合と同様の状態を実現することができる。
【０１６１】
図１４の実施の態様は、配管を有する半導体製造装置に関して、その配管を表面清浄化するようにした半導体製造装置である。すなわち、本実施の形態による半導体装置は、図１に示すような表面清浄化装置が組み込まれたものである。
【０１６２】
図１４において、半導体製造装置３０は、半導体装置の製造のために必要な処理ガスを供給する処理ガス供給源３１と、半導体装置の製造プロセスが行われるプロセスチャンバ３２と、処理ガス供給源３１からの処理ガスをプロセスチャンバ３２に導く配管３３とを有している。
【０１６３】
さらに、半導体製造装置３０は、配管３３にその上流側から高純度不活性ガスを導入する高純度不活性ガス供給源３４と、配管３３を加熱する加熱手段３５とを備えている。プロセスチャンバ３２は、配管の一種、すなわち、ガス流路構成部分であるので、プロセスチャンバ３２を加熱する加熱手段を設けておいてもよい。
【０１６４】
前記ガス供給源３４は、図８に示したガス供給源１６と同じ構成を有している。また、加熱手段３５は、例えばワイヤ状のヒータであって、図７に示したクリップ部材１５によって、配管３１の外面に沿って固定されていると共に、温度センサー３６を用いて、温度調節器３７で温度を制御している。
【０１６５】
図面には示していないが、処理ガス供給源３１から配管３３へのガス供給と高純度不活性ガス供給源３４からの配管３３への高純度不活性ガス供給とは、切り換えて行うことができるようになっている。また、図面には示していないが、配管３３を通流したガスを分析するための高感度ガス分析装置が設けられている。
【０１６６】
なお、ガス供給源３４として、図９に示すガス供給源１６と同じ構成を有するガス供給源を使用してもよく、この場合には、前記加熱手段３５は省略され得る。この場合、好ましくは、配管３３は、図１１における配管２ｆと同様に、保温剤によって覆われる。
【０１６７】
このような構成の半導体製造装置３０によれば、まず配管３３を含む半導体製造装置３０が組み立てられた後に、半導体製造装置３０の使用開始前に、配管３３の表面清浄化処理が行なわれる。即ち、ガス供給源３４から高純度不活性ガスが、半導体製造装置３０の配管３３内に導入されると共に、配管３３は、加熱手段３５により加熱され、所定温度に保持される。
【０１６８】
その後、加熱手段３５が遮断され、ガス供給源３４からの高純度不活性ガスが通流された状態で、配管３３が自然冷却され、室温に戻される。これにより、配管３３の内面が表面清浄化されることになる。
【０１６９】
なお、本実施の形態においても、図１及び図２の各実施の形態と同様に、高純度不活性ガスを通流させながらの加熱及び冷却を複数回繰り返してもよい。また、本実施の形態においても、高純度不活性ガスを通流させる前に、予め配管３３を図示しない真空ポンプで真空引きしておくことが好ましい。
【０１７０】
室温の高純度不活性ガスを単に流すだけの従来の表面清浄化処理では、配管３３の内面が清浄化されるまでに１か月以上を要していたのに対して、本実施の形態による半導体製造装置３０においては、約１日の表面清浄化処理によって、配管３３の内面が清浄化され得る。
【０１７１】
さらに、前記半導体製造装置３０においては、使用によって配管３３内面に不純物等が付着した場合、再び前述した表面清浄化処理が行なわれることによって、不純物等が除去される。このような表面清浄化処理が定期的にあるいは不定期に行なわれる。この場合、配管３３への加熱手段３３の固定とガス供給源３２、図示しない高感度ガス分析装置の接続は、半導体製造装置３０の使用の際にもそのままにしておいてもよく、また表面清浄化処理を行なう毎に、行なうようにしてもよい。
【０１７２】
このように、前記半導体製造装置３０によれば、使用時に前記配管を通流する処理ガス中の不純物が低減され、半導体製造の歩留りが向上するなどの利点が得られる。
【０１７３】
また、前記半導体製造装置３０においては、配管３３は比較的長いガス流路を有している。このため、前記加熱手段３３が、配管３３のガス流路に沿って複数部分に分割されていて、上流側から下流側に向かって順次に加熱を行なうように、制御されるようにしてもよい。あるいは、加熱領域の小さい加熱手段を用い、これを上流側から下流側にかけて移動させていってもよい。これにより、配管３３全体が同時に加熱されて、その下流端における不純物濃度が高濃度になることが防止される。
【０１７４】
以上、本発明の各実施の形態について説明したが、本発明はこれらの実施の形態に限定されるものではない。
【図面の簡単な説明】
【０１７５】
【図１】本発明に係る表面清浄化装置の一例を示した概略説明図である。
【図２】本発明に係る表面清浄化装置の他例を示した概略説明図である。
【図３】本発明に係る表面清浄化部品の一例を示した概略説明図である。
【図４】本発明に係る表面清浄化部品の他例を示した概略説明図である。
【図５】図１及び図２の表面清浄化装置による被表面清浄化物の不純物濃度を示すグラフであり、図５（ａ）は表面清浄化処理前の不純物濃度を示すグラフ，図５（ｂ）は表面清浄化処理後の不純物濃度を示すグラフである。
【図６】本発明による表面清浄化方法における被表面清浄化部品の表面の拡大断面図であり、図６（ａ）は表面清浄化処理前の状態，図６（ｂ）は一回の表面清浄化処理後の状態そして図６（ｃ）は二回の表面清浄化処理後の状態を示す図である。
【図７】図１及び図２の表面清浄化装置で使用される加熱手段及び温度センサーを被表清浄化部品に取り付けるためのクリップ部材を示す図であり、図７（ａ）はその斜視図，図７（ｂ）はその断面図である。
【図８】図１及び図２の表面清浄化装置で使用されるガス供給源の構成例を示すブロック図である。
【図９】図１及び図２の表面清浄化装置で使用されるガス供給源の他の構成例を示すブロック図である。
【図１０】図９のガス供給源を被表面清浄化部品に取り付けた状態を示すブロック図である。
【図１１】図９のガス供給源を比較的長い配管部品である被表面清浄化物に取り付けると共に、被表面清浄化部品の周りに保温剤を取り付けた状態を示すブロック図である。
【図１２】本発明に係る表面清浄化装置の他の例を示した概略説明図である。
【図１３】図１２の表面清浄化装置の表面清浄化処理による樹脂部品の表面領域の断面を示す図であり、図１４（ａ）は表面清浄化前の状態、図１４（ｂ）は表面清浄化処理後の状態を示す拡大断面図である。
【図１４】本発明に係る半導体製造装置の一例を示した概略説明図である。
【符号の説明】
【０１７６】
１ａ，１ｂ，１ｃ  高純度不活性ガス流入口
２ａ，２ｂ，２ｃ，２ｄ  被表面清浄化部品
２ｅ  孔
３ａ，３ｂ  ガスサンプリング配管
４ａ，４ｂ  高感度ガス分析装置
５ａ，５Ａ，５ｂ，５Ｂ  加熱手段
６ａ，６Ａ，６ｂ，６Ｂ  温度センサー
７ａ，７Ａ，７ｂ，７Ｂ  温度調節器
８  冷却ファン
９  ガス切り替え手段
１０  分岐管
１１ｃ，１１ｄ  オールメタルバルブ
１２  ガス流出口
１３ｃ  ブラインドナット
１４  高純度不活性ガス保有容器
１５  クリップ部材
１６  ガス供給源
１６ａ  ガス貯蔵源
１６ｂ  レギュレータ
１７  流量計
１８  純化器
１９  加熱部
２０  保温材
２１  高純度不活性ガス流入口
２２  被表面清浄化部品
２３  ガスサンプリング配管
２４  高感度ガス分析装置
２５ａ，２５Ａ  加熱手段
２６ａ，２６Ａ  温度センサー
２７ａ，２７Ａ  温度調節器
２８  冷却ファン
３０  半導体製造装置
３１  処理ガス供給源
３２  プロセスチャンバ
３３  配管
３４  高感度ガス分析装置
３５  加熱手段
３６  温度センサー
３７  温度調整器
【図１】
0004394131.tif 000002
【図２】
0004394131.tif 000003
【図３】
0004394131.tif 000004
【図４】
0004394131.tif 000005
【図５】
0004394131.tif 000006
【図６】
0004394131.tif 000007
【図７】
0004394131.tif 000008
【図８】
0004394131.tif 000009
【図９】
0004394131.tif 000010
【図１０】
0004394131.tif 000011
【図１１】
0004394131.tif 000012
【図１２】
0004394131.tif 000013
【図１３】
0004394131.tif 000014
【図１４】
0004394131.tif 000015